(57)【要約】【課題】使用済みコインを回収する際に同時に研磨可能とするコイン研磨回収装置を提供する。【解決手段】本発明は、装置本体３に１対の研磨布ベルト１７，３７を有するコイン研磨手段５とを備えていることにより、コインＧを回収しながら同時にコインの表面を研磨可能としたものである。各研磨布ベルトは、ユニット化して装置本体３に着脱自在とすることによりメンテナンス等の作業の容易化を図ってある。供給されるコインをコインガイド１でコイン通路部３ｂに案内し、ここを通過中のコインの両面に対して研磨布ベルトの各表面が接触した状態で相対移動可能としてあるため、通過中のコインの両面を研磨可能となっている。コインを研磨するための余分な設備と手間とを要せず、回収したコインをそのまま再使用可能となることから遊技場等に人件費及び設備スペースを低減可能となる。【選択図】      図１
2004154464.tif 000002
【特許請求の範囲】
【請求項１】
コイン供給手段から供給されるコインを受け取るコイン受け部及び受け取ったコインを通過可能な形状に形成してあるコイン通路部とを有する装置本体と、
上記コイン供給手段と上記装置本体との間に設けてあり、上記コインを上記コイン通路部に案内可能に設けてあるコインガイドと、
上記コイン通路部を通過中の上記コインの両面に対して各表面が接触した状態で相対移動可能に設けてある１対の研磨布ベルトを含むコイン研磨手段と
を備えていることを特徴とするコイン研磨回収装置。
【請求項２】
請求項１において、上記１対の研磨布ベルトは、速度が異なるように設けてあることを特徴とするコイン研磨回収装置。
【請求項３】
請求項１又は請求項２のいずれかにおいて、上記コイン研磨手段は、上記１対の研磨布ベルトの各表面がほぼ鉛直に設置されているとともに、一方の上記研磨布ベルトの表面が、他方の研磨布ベルトの表面よりも高い位置にも存在するように設けてあることにより上記コインガイドによりガイドされたコインが上記一方の研磨布ベルトの表面に衝突して上記コイン通路内に進入可能に設けてあることを特徴とするコイン研磨回収装置。
【請求項４】
請求項１乃至請求項３のいずれかにおいて、上記コイン研磨手段は、いずれも上記装置本体に着脱自在に装着してある１対の研磨ユニットからなり、上記装置本体の一方の側に装着される第１研磨ユニットには第１研磨布ベルトを含んでおり、他方の側に装着される第２研磨ユニットには全長が第１研磨布ベルトよりも短い第２研磨布ベルトを含んでいることを特徴とするコイン研磨回収装置。
【請求項５】
請求項１乃至請求項４のいずれかにおいて、上記コイン供給手段から供給される上記コインがＩＣコインと硬貨とが混在するものであり、上記装置本体には上記コイン供給手段から送り込まれた上記ＩＣコインと、上記硬貨とを選別するコイン選別手段が設けてあり、当該コイン選別手段によって選別された被選別コインは、それぞれ当該コイン選別手段に接続された各コイン通路部を経て異なるコイン回収ボックスに排出可能としてあることを特徴とするコイン研磨回収装置。
【請求項６】
請求項１乃至請求項５のいずれかにおいて、上記コイン供給手段は、パチンコ遊技場等の遊技島に設置してあるコイン搬送路であり、上記装置本体は、上記コイン搬送路から供給される上記コインは上記コインガイドを介して受け取り可能に設けてあることを特徴とするコイン研磨回収装置。
【発明の詳細な説明】
【０００１】
【発明の属する技術分野】
本発明は、例えばパチンコ遊技場等に備え付けられる遊技媒体貸出機から排出されるＩＣコイン等のコインを、研磨して回収するために用いるいわゆるコイン研磨回収装置に関するものである。
【０００２】
【従来の技術】
パチンコやパチスロ遊技場の島に並設されている遊技機間には、パチンコ玉等の遊技媒体を貸し出すための遊技媒体貸出機が設けてあるが、これらの遊技媒体の貸出料は、プラスチック成形品で硬貨と同様の円板に形成し、これに金額その他の必要事項を記憶してある記憶素子を埋設したものからなるいわゆるＩＣコインが多く使われている。しかしながらＩＣコインだけでは不便なことも多いことからＩＣコイン以外にも１００円及び５００円硬貨等のコインで支払い可能となっているものも採用されている。これらのコインは遊技機の背後に設けられたベルト式のコンベアに載せられて、島の端部に設けられたコイン回収ボックスへ回収されるようになっている。
【０００３】
上記のＩＣコインは、読み取り装置によって記憶素子の内容を読み取り可能になっている必要があるが、表面が汚れていると正確な読み取りが困難となる。そのため、コイン回収ボックスに回収されたコインは、研磨装置を用いて研磨してから再利用に供するようにしてある。また、硬貨の場合には形状や大きさから金額を判断されるが、判別以外に機能上は汚れを気にしないが、衛生上等の要求により研磨が行われることがある。
【０００４】
【発明が解決しようとする課題】
しかしながら、コインの種類を問わず、コインを研磨装置に移して研磨することは手間がかかる上に、設備代や設置のためのスペースも必要となることから、遊技場における間接費用の抑制の障害となっている。そこで、本発明の目的は、既存のコイン回収装置に対してコインの研磨手段を備えたいわゆるコイン研磨回収装置を安価に提供することにある。
【０００５】
【課題を解決するための手段】
上記の目的を達成するために、本発明は遊技媒体貸出機から搬送されるコインを回収ボックスへ排出するいわゆるコイン研磨回収装置について、以下の手段を採用することにより、以下の作用効果を生じるようにしたものである。
【０００６】
（請求項１に記載した発明の構成）
請求項１に記載した発明は、コイン研磨回収装置の全体の構成を限定したものである。すなわち、このコイン研磨回収装置は、コイン供給手段から供給されるコインを受け取るコイン受け部及び受け取ったコインを通過可能な形状に形成してあるコイン通路部とを有する装置本体と、上記のコイン供給手段と装置本体との間に設けてあり、供給されたコインを上記のコイン通路部に案内可能に設けてあるコインガイドと、上記のコイン通路部を通過中のコインの両面に対して各表面が接触した状態で相対移動可能に設けてある１対の研磨布ベルトからなるコイン研磨手段とを備えているところに特徴がある。
【０００７】
ここでコイン供給手段とは、主に後述のパチンコ等の遊技島に設置されているコンベアなどの搬送路が該当するが、このほか、各種の遊技機や自動販売機等から排出されるコインを集めてこのコイン研磨回収装置へ供給可能に設けられているコイン供給手段が含まれる。また、コインガイドとは、上記のコイン供給手段から供給されるコインをコイン研磨回収装置へ供給するために設けてあるホッパーなどのガイド手段を指している。ここではコインを受け取り、その姿勢を整えて装置本体に供給可能とする機能を有するホッパー状の部材を指している。さらにまた、研磨布ベルトとは、１対のプーリーに掛け回された平ベルトの表面を研磨布で覆い、表面がコインの表面と接触して相対移動することによりコインの表面を研磨可能とする機能を有する研磨部材を指す。
【０００８】
（請求項１に記載した発明の作用効果）
上記の構成を採用することにより、コイン供給手段から供給されるコインをコイン回収ボックスに回収する過程において、コイン研磨手段によりコインの表面を研磨可能となる。このため、コインを研磨するための余分な設備と手間とを要せず、回収したコインをそのまま再使用可能となることから遊技場等におけるランニングコスト及び設備スペースを低減可能となる。
【０００９】
（請求項２に記載した発明の特徴）
請求項２に記載した発明は、上記した１対の研磨布ベルトの相互関係を限定したものである。すなわち、上記した１対の研磨布ベルトは、速度が異なるように設けてあるところに特徴がある。１対の研磨布ベルトは、上記のコイン通路部内で表面同士が所定間隔で対向しており、この対向面間に送り込まれたコインは両面を各ベルトによって研磨されながらコイン通路部を通って排出される。これらのベルトの相対速度が同一であると、コインは挟持された状態で研磨されずに移動し、かつ排出されてしまうことになるので、対向する両ベルトの表面の速度を異なるように設定することによりコインのいずれの面にも研磨布ベルトの表面との間に相対移動が生じることにより研磨可能としたものである。
【００１０】
（請求項３に記載した発明の特徴）
請求項３に記載した発明は、コイン研磨手段の構成について限定したものである。すなわち、コイン研磨手段は、上記１対の研磨布ベルトの各表面がほぼ鉛直に設置されているとともに、一方の研磨布ベルトの表面が、他方の研磨布ベルトの表面よりも高い位置にも存在するように設けてあることにより上記のコインガイドによってガイドされたコインが一方の研磨布ベルトの表面に衝突して上記のコイン通路内に進入可能に設けてあるところに特徴がある。上記のコイン供給手段からコインガイドを経てコイン研磨手段に供給されるコインは、コインガイド上で姿勢を整えられ、先頭になっている部分が一方の研磨布ベルトの表面に衝突することにより下向きになってコイン通路部に引き込まれやすくなる。このため、対向している研磨布ベルトの表面間にコインを誘導容易となり、コインがコイン通路部の入り口で滞ることなくスムーズに研磨布ベルトの対向面間に入り、相対移動中の研磨布との接触により研磨が行われる。
【００１１】
（請求項４に記載した発明の特徴）
請求項４に記載した発明は、上記のコイン研磨手段の構成を限定したものである。すなわち、上記のコイン研磨手段は、いずれも装置本体に着脱自在に装着してある１対の研磨ユニットからなり、装置本体の一方の側に装着される第１研磨ユニットには第１研磨布ベルトを含んでおり、他方の側に装着される第２研磨ユニットには全長が第１研磨布ベルトよりも短い第２研磨布ベルトを含んでいるところに特徴がある。ここで研磨ユニットとは、上記の研磨布ベルトと、このベルトの駆動手段と、装置本体への着脱手段及び動力伝達手段を含むアッセンブリーを指す。上述のように、研磨手段をユニット化することにより、研磨布ベルトの装置本体への着脱が容易化するため、研磨布ベルトの交換やその他のメンテナンス作業が容易となる。特に研磨布ベルトは汚れやすく交換頻度が高いため、着脱容易としてあることによりメンテナンス作業の能率向上に寄与する。
【００１２】
（請求項５に記載した発明の特徴）
請求項５に記載した発明は、請求項１乃至請求項４に記載した発明における処理対象であるコインの種類を複数化したものである。すなわち、上記の回収装置は、上記のコイン供給手段から供給されるコインが、ＩＣコインと硬貨とが混在するものである場合に、上記の装置本体にはコイン供給手段から送り込まれたＩＣコインと、硬貨とを選別するコイン選別手段を備えている。このコイン選別手段によって選別された被選別コインは、それぞれコイン選別手段に接続された各コイン通路部を経て異なるコイン回収ボックスに排出可能としてあるところに特徴がある。コイン選別手段は、コインの直径に応じて通過の可否を判断することが可能であるが、材質や比重の相違により選別可能とするものであってもよい。
【００１３】
請求項１から請求項４までに記載してある発明の回収装置は、回収するコインの種類を主としてＩＣコイン等の単一種のコインを対象とするものであったが、この発明では、コイン供給手段から供給されるコインが、ＩＣコインと硬貨とが混在するなど複数種のものである場合に、両者を分離して回収するようにしたものである。コインは種類により大きさや厚み及び重量等が異なるので、これらを同一の研磨手段で研磨することは困難である。さらに、回収先も別の回収ボックスとする方が合理的であることから、この手段の採用により、複数種のコインの研磨・回収にも適用可能となる。被選別コインは、いずれも個別に研磨し、あるいはＩＣコインのみを研磨し、硬貨は研磨せずに回収ボックスへ排出可能としてあるので、回収の目的に応じた回収が可能となる。
【００１４】
（請求項６に記載した発明の特徴）
請求項６に記載した発明は、本発明に係るコイン研磨回収装置をパチンコ遊技場等の遊技島に設置するものに限定したものである。すなわち、上記のコイン供給手段は、パチンコ遊技場等の遊技島に設置してあるコイン搬送路に相当し、上記の装置本体は、このコイン搬送路から上記のコインガイドを介してコインを受け取り可能に設けてあるところに特徴がある。ここでコイン搬送路とは、遊技島に設けてある遊技媒体の貸出機から排出されるコインをコンベアなどの搬送手段によってコインを供給するための通路を指すものとする。本発明に係るコイン研磨回収装置を、パチンコ等の遊技島に設置することにより遊技場におけるコインの管理を容易化することが可能となる。
【００１５】
【発明の実施の形態】
（全体の構成）
図１は、パチンコ島に設けてあるコイン搬送装置Ｔの末端部に、搬送されて来たコインを研磨して回収する装置すなわち、コイン研磨回収装置（以下「回収装置」という）Ｓが設置してある状態を示してある。コイン搬送装置Ｔは、フレーム７１に取り付けられたコンベアモーター（図示略）により回転移動するコイン供給手段としてのベルト式のコンベア７５を備えている。このコンベア７５は、図示されていない各パチンコ遊技機間に設けてある玉貸機から排出されるＩＣコインＧを、原則として倒置状態で搬送可能としてある。これらのＩＣコイン（以下「コイン」という）Ｇは、コンベア７５により搬送され、その末端部から落下し、上記の回収装置Ｓへ供給可能となっている。この回収装置Ｓは、通常はパチンコ島等の端部に位置しており、島の長手方向と直交する端面が正面となるように設置してあることが多い。
【００１６】
図１に示すように、コンベア７５により搬送されて来たコインＧは、回収装置Ｓに設けられたコインガイド１上に移り、この上で滑走して装置本体３内に落下するようになっている。装置本体３にはコイン研磨手段５が設けてあり、各コインＧはここを通過することにより研磨されながら下降し、その下方に位置する排出部７から下方に設置されている回収ボックス（図示略）に回収可能となっている。
【００１７】
（装置本体の構成）
図１〜３に示すように、装置本体３は、上部が奥行きの大きいコイン受け部３ａとなっており、下部がコインを研磨しながら通過させるコイン通路部３ｂとなっている。コイン受け部３ａとコイン通路部３ｂとの境界には斜板からなる上記のコインガイド１が設けてある。コイン受け部３ａの後板部３ｃには、搬送装置Ｔへの取付部３ｄ、３ｄが設けてあり、ここに設けられた取付穴３ｅ，…及びボルトを用いて搬送装置Ｔの末端部へ固定可能としてある。コイン受け部３ａの後板部３ｃには、搬送装置Ｔの排出穴７１ａと連通するホッパー穴３ｆが設けてある。このホッパー穴３ｆはコインの通過に十分な大きさとなっており、上記のコインガイド１は、これらの両穴７１ａ，３ｆをまたいで一端部がコンベア７５の端末部の下方に位置しており、他端部はコイン通路部３ｂの上端部に接している。このコインガイド１により、コンベア７５によって搬送されて来たコインＧを回収装置Ｓに供給容易となっている。
【００１８】
装置本体３の前面側（図１左側）には、図３に示すように、平板状の前板部３ｇが設けてある。装置本体３の下部は、下後板部３ｈが前板部３ｇに対向する状態で接近しており、前板部３ｇ及び下後板部３ｈとコイン通路部３ｂの両側板とに囲まれて形成されたスペースは長方形状のコイン通路となっている。前板部３ｇには、後述の第１研磨ユニット１１の一部が装置本体内に進出可能にするための第１窓部３ｉが設けてある。また、下後板部３ｈには同じく第２研磨ユニット３１の一部を進出可能にするための第２窓部３ｊが設けてある。第２窓部３ｊは、下端部が第１窓部３ｉとほぼ同じ高さ位置なっているが、上端部は第１窓部３ｉよりも下方の高さ位置になっている。両窓部３ｉ，３ｊの下方は、上述の排出部７となっている。
【００１９】
（コイン研磨手段の構成）
図１に示すように、上述の装置本体３には、コイン研磨手段を構成する１対の研磨布ベルト１７，３７が、各表面が対向するように設けてある。図１で左側に位置する第１研磨ベルト１７は、右側に位置する第２研磨ベルト３７よりも長くなっており、第１研磨ベルト１７の対向面は第２研磨ベルト３７の対向面よりも高い位置にも存在するようになっている。また、両研磨布ベルト１７，３７は、図１に示すように、それぞれプーリー１５，１６，３５，３６に掛け回されているが、各下プーリー１５，３５は、それぞれ第１歯車１９、第２歯車３９と一体になって回転可能としてある（図４参照）。上記の第１歯車１９と第２歯車３９とは、互いに噛み合うことにより両歯車の歯数比に応じて各研磨布ベルト１７，３７の速度比が定められるようになっている。
【００２０】
上述の通り、コイン研磨手段５は、１対の研磨布ベルト１７，３７を主要素とするものであるが、これらの各研磨布ベルトは１対の研磨ユニット１１，３１に含まれるように構成してある。すなわち、装置本体３の前板部３ｇには、第１研磨ユニット１１が着脱自在に装着してあり、下後板部３ｈには第２研磨ユニット３１が着脱自在に装着してある。１対の研磨布ユニット１１，３１が装置本体３に装着されることにより、上記の研磨布ベルト１７，３７が各表面を所定の間隔で対向した状態となっている。
【００２１】
（コイン研磨手段の構成）
上記したように、コイン研磨手段５は、第１研磨ユニット１１と、第２研磨ユニット３１とを上記の装置本体３に装着したものにより構成してあるが、図４（ａ），（ｂ）に示すように、第１研磨ユニット１１は、第１フレーム１３に上下に設けられた下プーリー１５及び上プーリー１６、これらのプーリーに掛け回された第１研磨布ベルト１７とを備えている。下プーりー１５の回転軸には、第１歯車１９がこれと一体回転可能に取り付けてある。また、第１フレーム１３の下端部近傍には駆動モーター２１が取り付けてあり、このモーターの駆動軸には駆動歯車２３が一体回転可能に取り付けてある。上記の第１歯車１９と、駆動歯車２３とは常時噛み合っており、駆動モーターの回転により第１研磨布ベルト１７を回転移動可能としてある。第１フレーム１３の上端部には、前板部３ｇへの掛け具１３ａが設けてあり、下端部には同じく保持具１３ｂが設けてある。第１研磨ユニット１１の装置本体３への装着は、上記の保持具１３ｂを第１窓部３ｉの下端部の内側に入れてから上記の掛け具１３ａを係止穴３ｋに掛け止めすることにより行われる。第１研磨ユニット１１の装着は、モーター２１などの可動体を搭載してあるので、ねじ止めなどにより固定することが望ましい。
【００２２】
図４（ｃ），（ｄ）に示すように、第２研磨ユニット３１は、第２フレーム３３に設けられた下プーリー３５及び上プーリー３６と、これらのプーリーに掛け回された第２研磨布ベルト３７とを備えている。下プーリー３５の回転軸には、第２歯車３９がこれと一体回転可能に取り付けてある。第２研磨ユニット３１の装置本体３への装着は、第２フレーム３３の内側板３３ａを下後板部３ｈに当接し、第２研磨布ベルト３７の一部（下降側）が装置本体３のコイン通路部３ｂ内に入るようにするとともに、第１歯車１９と第２歯車３９とが噛み合うように合わせて第２フレーム３３を下後板部３ｈにビス止め等により固定するようにしてある。また、第２研磨ユニット３１の装着手段は、第１研磨ユニット１１の装着手段と同様に掛け具と係止具との組み合わせたものを用いてもよい。
【００２３】
（動作）
図１に示すように、遊技島の各玉貸機からコイン搬送装置Ｔに排出されたコインＧは、コンベア７５によって島の末端部近傍まで搬送され、このコンベアの末端部から落下するようになっている。落下したコインＧはコインガイド１上に落ち、コインガイドの傾斜面に沿って滑降しながら姿勢及び位置を整えて上記の両穴７１ａ，３ｆを通過して装置本体３内に到達する。この時、第１研磨ユニット１１及び第２研磨ユニット３１はともに運転中であり、各研磨布ベルト１７，３７の対向面が下向きに回転移動中となっている。傾斜状になって進入して来たコインＧは先頭に位置している部分が回転移動中の第１研磨布ベルト１７の表面に衝突すると、このコインＧは自己の重力と慣性力及び第１研磨布ベルト１７による下向きの摩擦力とにより、コイン通路部３ｂ内に引き込まれる。
【００２４】
そしてさらに、このコインＧは重力と上記の摩擦力とにより下降し、第１研磨布ベルト１７と、第２研磨布ベルト３７の対向エリアに到達する。第２研磨布ベルト３７もコインと接触する方の面は下向きに動いているため、コインＧは両ベルトに挟持された状態で下降する。この時、両ベルトの対向面の下降速度が同一であればコインの表面に摩擦作用は生じないが、両者の相対速度が異なる時にはコインの一方の面が高速側のベルトによってこすられるとともに、他方の面は高速側の摩擦力により移動するため、コインＧの他方の面も同様にこすられる。従ってコインＧが両ベルトの挟持状態から解放されるまでには、両面が研磨布との相対移動により研磨され、次の使用時にそのまま使用可能となる。研磨されたコインＧは、両ベルトから脱出すると引き続き排出部７から自然落下してコイン回収ボックスに収納される。
【００２５】
上述のとおり、各研磨布ベルトの対向面側の速度は、第１研磨布ベルト１７を第２研磨布ベルト３７よりも遅くなるように設定すると、高速移動する第２研磨布ベルト３７が、コインＧの他方の面をこすりながらコインの一方の面を第１研磨布ベルト１７の対向面に沿って滑らせるため、同時にコインの両面を研磨可能となる。上記したように、第１研磨布ベルト１７を第２研磨布ベルト３７よりも長くしてコインがベルト間に挟持される前にコインの一方の面が研磨開始されるようにしてあれば、研磨布ベルトとの接触時間が長くなる。したがって、移動速度が遅くなっていてもコインの通過終了までの相対移動量に大きな差が生じなくなるため、両面の研磨の程度が同様となる。両研磨布ベルトの速度差は、コインの種類やベルトの間隔などにより適宜設定するとよい。
【００２６】
（研磨ユニットの交換）
上記の研磨布ベルト１７，３７は、使用により当然に汚れるので、定期的な交換が必要である。これらの交換は各研磨ユニット１１，３１を装置本体３から取り外して行う。取り外した各研磨ユニットは集中的にベルトの交換が可能となるので、遊技場のメンテナンス費用を節減可能となる。
【００２７】
（変形例）
上述の回収装置は、回収する対象を例えば１種だけのＩＣコインとしたものであるが、遊技場によっては、ＩＣコインとともに１００円硬貨や５００円硬貨を併用することがある。このような場合には、両者を同じ回収ボックスに回収することはコインの管理上好ましくないので、コインの種類ごとに回収するようにすることが望ましい。また、本発明のように、コイン研磨手段を備えたものにあっては、形状や材質の異なる異種コインを同一研磨手段で研磨することは好ましい研磨結果が得にくいことから、これらの両コインを別のルートで回収することが望ましいことから採用したものである。
【００２８】
図５は、上記の変形例としての回収装置Ｓ２について略図的に示したものであるが、上述のコインガイド１に代えて、ＩＣコインと、５００円硬貨（１００円硬貨を含む）と、を選別するための選別穴６３を備えたコイン選別ガイド６１を採用し、上記の選別穴６３に分岐路６５を接続したものである。選別穴６３は、選別ガイド６１の傾斜面上に、ＩＣコインの直径よりも小さく、かつ５００円硬貨の直径よりも大きい内径の円形に形成してなる透孔を設けたものからなる。このため、選別ガイド６１の傾斜面上を通過する硬貨Ｚは、この選別穴６３を通過して落下するが、ＩＣコインＧは落下不能としてあるため、両者はここで選別される。これらの被選別コインのうち、一方のＩＣコインＧは、この選別穴６３上をそのまま通過して装置本体４３のコイン通路部４３ｂに到達するようになっている。コイン通路部４３ｂには、既述の研磨手段５が設けてあることについては、上記例と同様であり、ＩＣコインを研磨してコイン回収ボックスＢへ回収可能としてある。また、他方の硬貨Ｚは、ここで選別されて分岐路６５へ落下し、分岐路６５から第２排出部６７を経て第２コイン回収ボックスＢ２へ回収可能となっている。
【００２９】
上記変形例では、分岐路には研磨手段が設けられていないが、もちろん、ここにも研磨手段を設けて、硬貨も回収時に研磨することによりきれいな硬貨を得ることも可能である。この研磨手段はＩＣコインの研磨手段に準じたものとすることも可能であるが、この場合には、研磨布ベルト間の間隔が非常に狭くかつ硬貨の比重が大きいので、研磨布の摩擦抵抗の選定などに工夫が必要である。
【００３０】
以上の説明ではコイン研磨手段を１対の研磨ユニットを組み合わせたものとしてあるが、各研磨布ベルトを装置本体に直接取り付けるようしたものであってもよい。また、コイン研磨手段を研磨布ベルトとせずに、例えば研磨布の対向面を往復移動させながらコインを移動させて研磨するなど他の手段を採用するものであってもよい。さらにまた、研磨手段を研磨布によらず他の手段によって研磨するようにしたものであってもよい。
【００３１】
また、以上の説明においては、各コインは倒置状態で搬送され、そのままの姿勢でコインガイドからコイン通路に入るようになっているが、本発明は、コインの姿勢をこのような姿勢で送り込まれるものに限定する趣旨ではない。例えば、コインが立った状態で転がり移動して来るものについても適用可能である。この場合には、上記の研磨布ベルトの対向面を、搬送路上におけるコインの進行方向と平行になるように設けるなどする必要があるが、研磨手段の構成については上記の研磨手段と変わらない。
【００３２】
【発明の効果】
本発明によれば、装置本体にコイン研磨手段を備えているので、投入されたコインを研磨した後に回収可能となるため、これまでのように回収したコインを別装置としての研磨装置を通さずに研磨済みコインが得られる。従って研磨装置が不要となるとともに、研磨作業のための労力を要しなくなるので遊技場等におけるランニングコストの引き下げを可能とする。
【図面の簡単な説明】
【図１】本発明がコイン供給手段に装着されている状態の要部を示す側面の断面図である。
【図２】コイン研磨回収装置の正面図である。
【図３】装置本体を示すものであり、（ａ）は正面図、（ｂ）は断面図である。
【図４】コイン研磨手段の構成を示すものであり、（ａ）は第１研磨ユニットの正面図、（ｂ）はその底面図、（ｃ）は第２研磨ユニットの正面図、（ｄ）はその底面図である。
【図５】変形例の構成を示す要部の断面図である。
【符号の説明】
Ｓ，Ｓ２        コイン研磨回収装置
Ｇ              コイン（ＩＣコイン）
Ｚ              硬貨
Ｔ              コイン搬送装置
Ｂ，Ｂ２        コイン回収ボックス
１，４１        コインガイド
３，４３        装置本体
３ｂ，４３ｂ    コイン通路部
３ｆ，４３ｆ    ホッパー穴
３ｉ，３ｊ      窓部
５              コイン研磨手段
７，４７        排出部
１１，３１      研磨ユニット
１７，３７      研磨布ベルト
６１            コイン選別手段
６３            選別穴
６５            分岐路
６７            第２排出部
７１ａ          排出穴
７５            コイン供給手段（コイン搬送路）
【図１】
2004154464.tif 000003
【図２】
2004154464.tif 000004
【図３】
2004154464.tif 000005
【図４】
2004154464.tif 000006
【図５】
2004154464.tif 000007